(57)【要約】【課題】  複数の検索語の検索結果を効率良く参照可能な電子辞書端末を提供する。【解決手段】  辞書識別情報毎に、見出し語と対応する説明情報とを含む辞書情報を記憶し、検索語に対応する説明情報を表示する電子辞書端末が、第１の辞書識別情報に示される辞書情報を検索対象として、第１の検索語に対応する見出し語と対応する説明情報との第１の検索結果を表示させ、第１の辞書識別情報と第１の検索語とを記憶し、第１の検索結果が表示部に表示された後、第２の辞書識別情報と、第２の検索語とに対応する見出し語と対応する説明情報とを読み出して表示させ、第２の辞書識別情報と第２の検索語とに対応する説明情報を表示させた後、第１の検索結果の読み出し要求が入力されると、記憶された第１の辞書識別情報と第１の検索語とを読み出し、読み出した第１の辞書識別情報と第１の検索語とに対応する説明情報を読み出して表示させる。【選択図】  図１
2009187178.tif 000002
【特許請求の範囲】
【請求項１】
複数種類の辞書情報のそれぞれを識別する辞書識別情報毎に、複数の見出し語と当該見出し語のそれぞれに対応する説明情報とを含む辞書情報を記憶する辞書情報記憶部と、ユーザから入力される検索語に対応する前記説明情報を表示する表示部とを有する電子辞書端末であって、
前記辞書情報記憶部に記憶された前記複数種類の辞書情報のうち検索対象とする辞書情報を示す第１の辞書識別情報または第２の辞書識別情報の入力を受け付ける辞書選択入力部と、
ユーザから入力される第１の検索語または第２の検索語の入力を受け付ける検索語入力部と、
前記辞書選択入力部に入力される前記第１の辞書識別情報に示される前記辞書情報を検索対象として、前記検索語入力部に入力される前記第１の検索語に対応する前記見出し語と、当該見出し語に対応する前記説明情報との第１の検索結果を前記辞書情報記憶部から読み出して前記表示部に表示させる第１の検索処理部と、
前記第１の検索処理部が検索対象とした前記第１の辞書識別情報と前記第１の検索語とを記憶する検索情報記憶部と、
前記第１の検索処理部が、前記第１の検索結果を前記表示部に表示させた後、さらに、前記辞書選択入力部に入力される第２の辞書識別情報と、前記検索語入力部に入力される第２の検索語とに対応する前記見出し語と、当該見出し語に対応する前記説明情報とを前記辞書情報記憶部から読み出して表示部に表示させる第２の検索処理部と、
前記第２の検索処理部が、前記第２の辞書識別情報と前記第２の検索語とに対応する前記説明情報を前記辞書情報記憶部から読み出して表示部に表示させた後、前記第１の検索結果の読み出し要求を受け付ける読み出し要求入力部と、
前記読み出し要求入力部に前記第１の検索結果の読み出し要求が入力されると、前記検索情報記憶部に記憶された前記第１の辞書識別情報と前記第１の検索語とを読み出し、読み出した前記第１の辞書識別情報と前記第１の検索語とに対応する前記説明情報を前記辞書情報記憶部から読み出して前記表示部に表示させる第３の検索処理部と、
を備えることを特徴とする電子辞書端末。
【請求項２】
前記検索情報記憶部は、前記辞書選択入力部に入力される前記辞書識別情報毎に、前記検索語入力部に入力される前記検索語を記憶する
ことを特徴とする請求項１に記載の電子辞書端末。
【請求項３】
前記第３の検索処理部は、前記辞書選択入力部に前記第１の辞書識別情報が入力されると、入力された当該第１の辞書識別情報に対応する前記第１の検索語を前記検索情報記憶部から読み出し、前記入力された第１の辞書識別情報と前記読み出した第１の検索語とに対応する前記説明情報を前記辞書情報記憶部から読み出して前記表示部に表示させる
ことを特徴とする請求項２に記載の電子辞書端末。
【請求項４】
複数種類の辞書情報のそれぞれを識別する辞書識別情報毎に、複数の見出し語と当該見出し語のそれぞれに対応する説明情報とを含む辞書情報を記憶する辞書情報記憶部と、ユーザから入力される検索語に対応する前記説明情報を表示する表示部とを有する電子辞書端末の制御方法であって、
辞書選択入力部が、前記辞書情報記憶部に記憶された前記複数種類の辞書情報のうち検索対象とする辞書情報を示す第１の辞書識別情報または第２の辞書識別情報の入力を受け付けるステップと、
検索語入力部が、ユーザから入力される第１の検索語または第２の検索語の入力を受け付けるステップと、
第１の検索処理部が、前記辞書選択入力部に入力される前記第１の辞書識別情報に示される前記辞書情報を検索対象として、前記検索語入力部に入力される前記第１の検索語に対応する前記見出し語と、当該見出し語に対応する前記説明情報との第１の検索結果を前記辞書情報記憶部から読み出して前記表示部に表示させるステップと、
検索情報記憶部が、前記第１の検索処理部が検索対象とした前記第１の辞書識別情報と前記第１の検索語とを記憶するステップと、
第２の検索処理部が、前記第１の検索処理部によって前記第１の検索結果が前記表示部に表示された後、さらに、前記辞書選択入力部に入力される第２の辞書識別情報と、前記検索語入力部に入力される第２の検索語とに対応する前記見出し語と、当該見出し語に対応する前記説明情報とを前記辞書情報記憶部から読み出して表示部に表示させるステップと、
読み出し要求入力部が、前記第２の検索処理部が、前記第２の辞書識別情報と前記第２の検索語とに対応する前記説明情報を前記辞書情報記憶部から読み出して表示部に表示させた後、前記第１の検索結果の読み出し要求を受け付けるステップと、
第３の検索処理部が、前記読み出し要求入力部に前記第１の検索結果の読み出し要求が入力されると、前記検索情報記憶部に記憶された前記第１の辞書識別情報と前記第１の検索語とを読み出し、読み出した前記第１の辞書識別情報と前記第１の検索語とに対応する前記説明情報を前記辞書情報記憶部から読み出して前記表示部に表示させるステップと、
を備えることを特徴とする電子辞書制御方法。
【請求項５】
複数種類の辞書情報のそれぞれを識別する辞書識別情報毎に、複数の見出し語と当該見出し語のそれぞれに対応する説明情報とを含む辞書情報を記憶する辞書情報記憶部と、ユーザから入力される検索語に対応する前記説明情報を表示する表示部とを有する電子辞書端末のコンピュータに、
辞書選択入力部が、前記辞書情報記憶部に記憶された前記複数種類の辞書情報のうち検索対象とする辞書情報を示す第１の辞書識別情報または第２の辞書識別情報の入力を受け付けるステップと、
検索語入力部が、ユーザから入力される第１の検索語または第２の検索語の入力を受け付けるステップと、
第１の検索処理部が、前記辞書選択入力部に入力される前記第１の辞書識別情報に示される前記辞書情報を検索対象として、前記検索語入力部に入力される前記第１の検索語に対応する前記見出し語と、当該見出し語に対応する前記説明情報との第１の検索結果を前記辞書情報記憶部から読み出して前記表示部に表示させるステップと、
検索情報記憶部が、前記第１の検索処理部が検索対象とした前記第１の辞書識別情報と前記第１の検索語とを記憶するステップと、
第２の検索処理部が、前記第１の検索処理部によって前記第１の検索結果が前記表示部に表示された後、さらに、前記辞書選択入力部に入力される第２の辞書識別情報と、前記検索語入力部に入力される第２の検索語とに対応する前記見出し語と、当該見出し語に対応する前記説明情報とを前記辞書情報記憶部から読み出して表示部に表示させるステップと、
読み出し要求入力部が、前記第２の検索処理部が、前記第２の辞書識別情報と前記第２の検索語とに対応する前記説明情報を前記辞書情報記憶部から読み出して表示部に表示させた後、前記第１の検索結果の読み出し要求を受け付けるステップと、
第３の検索処理部が、前記読み出し要求入力部に前記第１の検索結果の読み出し要求が入力されると、前記検索情報記憶部に記憶された前記第１の辞書識別情報と前記第１の検索語とを読み出し、読み出した前記第１の辞書識別情報と前記第１の検索語とに対応する前記説明情報を前記辞書情報記憶部から読み出して前記表示部に表示させるステップと、
を実行させる電子辞書制御プログラム。
【発明の詳細な説明】
【技術分野】
【０００１】
本発明は、複数の見出し語のそれぞれに対応する説明情報を含む辞書情報から、ユーザから入力される検索語に対応する説明情報を検索して表示する電子辞書端末、電子辞書制御方法および電子辞書制御プログラムに関する。
【背景技術】
【０００２】
従来、複数の見出し語とその見出し語に対応する説明情報とをそれぞれに含む複数種類の辞書情報を記憶して、ユーザから入力される単語などの検索語に対応する訳語、例文、類語などの説明情報を検索して表示部に表示する電子辞書が利用されている。このような電子辞書は、手軽に持ち運べるようにポケットに入る程度の小さなサイズであるため、その電子辞書が有するディスプレイ（表示部）も大きな表示領域をもつものではない。また、電子辞書をできるだけ安価に販売できるように、高価なＲＡＭ（Random Access Memory）の容量が大きくならないように構成されている。すなわち、複数の単語の説明情報を一画面に表示するのは、画面サイズが充分でないことや複数の検索結果の記憶領域をＲＡＭ上に確保しづらいことなど、利便性・経済性・省電力性を考慮すると困難である場合が多い。
そこで、このような電子辞書で複数の単語の検索結果を参照する際には、一度検索結果をメモリ上からクリアして、他の辞書情報の検索を行うのが一般的である。また、表示部の表示領域を２分割して検索結果を表示することにより、２つの辞書を閲覧することを可能とする電子辞書や（例えば、特許文献１）、表示部の画面サイズを超える表示情報を記憶しておき、電子辞書端末の物理的な斜度や方向を検知して表示部に表示する表示情報を切替える電子辞書（例えば、特許文献２）などが提案されている。
【特許文献１】特開２０００−５６８９３号公報
【特許文献２】特開２００１−１３４５６５号公報
【発明の開示】
【発明が解決しようとする課題】
【０００３】
しかしながら、従来のように一度辞書情報の検索結果をクリアしてから他の辞書情報を検索する方法では、参照したい検索結果を変えるためにはその度に検索語の入力と検索処理を行う必要があり、複数の単語の検索結果を効率よく参照することはできない。また、画面を２つにわけて検索結果を表示する場合には、ひとつの単語の検索結果を表示する表示領域が小さくなり見づらくなるし、ＲＡＭには２件分の検索結果を保存しておく必要があり、より多くの保存領域が必要とされてハードウェア資源を圧迫する。また、この場合は表示領域の限界があるために分割できる数は２分割程度に制限され、３以上の辞書情報を効率よく参照することはできない。また、電子辞書の物理的な斜度や方向によって表示させる画面領域を切替える方法は、単一の検索結果の情報を仮想的な画面サイズを大きくして表示を切替えるものであり、複数の検索結果を表示させることを意図するものではない。
【０００４】
本発明は、このような状況に鑑みてなされたもので、表示領域の限られる電子辞書端末の表示部を用いて、複数の検索語の検索結果を効率良く参照するための電子辞書端末を提供する。
【課題を解決するための手段】
【０００５】
上述した課題を解決するために、本発明は、複数種類の辞書情報のそれぞれを識別する辞書識別情報毎に、複数の見出し語と見出し語のそれぞれに対応する説明情報とを含む辞書情報を記憶する辞書情報記憶部と、ユーザから入力される検索語に対応する説明情報を表示する表示部とを有する電子辞書端末であって、辞書情報記憶部に記憶された複数種類の辞書情報のうち検索対象とする辞書情報を示す第１の辞書識別情報または第２の辞書識別情報の入力を受け付ける辞書選択入力部と、ユーザから入力される第１の検索語または第２の検索語の入力を受け付ける検索語入力部と、辞書選択入力部に入力される第１の辞書識別情報に示される辞書情報を検索対象として、検索語入力部に入力される第１の検索語に対応する見出し語と、見出し語に対応する説明情報との第１の検索結果を辞書情報記憶部から読み出して表示部に表示させる第１の検索処理部と、第１の検索処理部が検索対象とした第１の辞書識別情報と第１の検索語とを記憶する検索情報記憶部と、第１の検索処理部が、第１の検索結果を表示部に表示させた後、さらに、辞書選択入力部に入力される第２の辞書識別情報と、検索語入力部に入力される第２の検索語とに対応する見出し語と、見出し語に対応する説明情報とを辞書情報記憶部から読み出して表示部に表示させる第２の検索処理部と、第２の検索処理部が、第２の辞書識別情報と第２の検索語とに対応する説明情報を辞書情報記憶部から読み出して表示部に表示させた後、第１の検索結果の読み出し要求を受け付ける読み出し要求入力部と、読み出し要求入力部に第１の検索結果の読み出し要求が入力されると、検索情報記憶部に記憶された第１の辞書識別情報と第１の検索語とを読み出し、読み出した第１の辞書識別情報と第１の検索語とに対応する説明情報を辞書情報記憶部から読み出して表示部に表示させる第３の検索処理部と、を備えることを特徴とする電子辞書端末である。
【０００６】
また、本発明は、上述の検索情報記憶部は、辞書選択入力部に入力される辞書識別情報毎に、検索語入力部に入力される検索語を記憶することを特徴とする。
【０００７】
また、本発明は、上述の第３の検索処理部は、辞書選択入力部に第１の辞書識別情報が入力されると、入力された第１の辞書識別情報に対応する第１の検索語を検索情報記憶部から読み出し、入力された第１の辞書識別情報と読み出した第１の検索語とに対応する説明情報を辞書情報記憶部から読み出して表示部に表示させることを特徴とする。
【０００８】
また、本発明は、複数種類の辞書情報のそれぞれを識別する辞書識別情報毎に、複数の見出し語と見出し語のそれぞれに対応する説明情報とを含む辞書情報を記憶する辞書情報記憶部と、ユーザから入力される検索語に対応する説明情報を表示する表示部とを有する電子辞書端末の制御方法であって、辞書選択入力部が、辞書情報記憶部に記憶された複数種類の辞書情報のうち検索対象とする辞書情報を示す第１の辞書識別情報または第２の辞書識別情報の入力を受け付けるステップと、検索語入力部が、ユーザから入力される第１の検索語または第２の検索語の入力を受け付けるステップと、第１の検索処理部が、辞書選択入力部に入力される第１の辞書識別情報に示される辞書情報を検索対象として、検索語入力部に入力される第１の検索語に対応する見出し語と、見出し語に対応する説明情報との第１の検索結果を辞書情報記憶部から読み出して表示部に表示させるステップと、検索情報記憶部が、第１の検索処理部が検索対象とした第１の辞書識別情報と第１の検索語とを記憶するステップと、第２の検索処理部が、第１の検索処理部によって第１の検索結果が表示部に表示された後、さらに、辞書選択入力部に入力される第２の辞書識別情報と、検索語入力部に入力される第２の検索語とに対応する見出し語と、見出し語に対応する説明情報とを辞書情報記憶部から読み出して表示部に表示させるステップと、読み出し要求入力部が、第２の検索処理部が、第２の辞書識別情報と第２の検索語とに対応する説明情報を辞書情報記憶部から読み出して表示部に表示させた後、第１の検索結果の読み出し要求を受け付けるステップと、第３の検索処理部が、読み出し要求入力部に第１の検索結果の読み出し要求が入力されると、検索情報記憶部に記憶された第１の辞書識別情報と第１の検索語とを読み出し、読み出した第１の辞書識別情報と第１の検索語とに対応する説明情報を辞書情報記憶部から読み出して表示部に表示させるステップと、を備えることを特徴とする。
【０００９】
また、本発明は、複数種類の辞書情報のそれぞれを識別する辞書識別情報毎に、複数の見出し語と見出し語のそれぞれに対応する説明情報とを含む辞書情報を記憶する辞書情報記憶部と、ユーザから入力される検索語に対応する説明情報を表示する表示部とを有する電子辞書端末のコンピュータに、辞書選択入力部が、辞書情報記憶部に記憶された複数種類の辞書情報のうち検索対象とする辞書情報を示す第１の辞書識別情報または第２の辞書識別情報の入力を受け付けるステップと、検索語入力部が、ユーザから入力される第１の検索語または第２の検索語の入力を受け付けるステップと、第１の検索処理部が、辞書選択入力部に入力される第１の辞書識別情報に示される辞書情報を検索対象として、検索語入力部に入力される第１の検索語に対応する見出し語と、見出し語に対応する説明情報との第１の検索結果を辞書情報記憶部から読み出して表示部に表示させるステップと、検索情報記憶部が、第１の検索処理部が検索対象とした第１の辞書識別情報と第１の検索語とを記憶するステップと、第２の検索処理部が、第１の検索処理部によって第１の検索結果が表示部に表示された後、さらに、辞書選択入力部に入力される第２の辞書識別情報と、検索語入力部に入力される第２の検索語とに対応する見出し語と、見出し語に対応する説明情報とを辞書情報記憶部から読み出して表示部に表示させるステップと、読み出し要求入力部が、第２の検索処理部が、第２の辞書識別情報と第２の検索語とに対応する説明情報を辞書情報記憶部から読み出して表示部に表示させた後、第１の検索結果の読み出し要求を受け付けるステップと、第３の検索処理部が、読み出し要求入力部に第１の検索結果の読み出し要求が入力されると、検索情報記憶部に記憶された第１の辞書識別情報と第１の検索語とを読み出し、読み出した第１の辞書識別情報と第１の検索語とに対応する説明情報を辞書情報記憶部から読み出して表示部に表示させるステップと、を実行させる電子辞書制御プログラムである。
【発明の効果】
【００１０】
以上説明したように、本発明によれば、入力される第１の辞書識別情報と第１の検索語とに対応する第１の検索結果が検索処理部によって画面に表示されると、その第１の辞書識別情報と第１の検索語とを検索情報記憶部に記憶し、その後さらに他の検索が行われてその検索結果が画面に表示された後、第１の検索結果の読み出し要求を受け付けると、検索情報に記憶された第１の辞書識別情報と第１の検索語とを読み出して再度検索を行い、検索結果を出力するようにしたので、検索結果の情報の全てを記憶しておかなくても、記憶された第１の辞書識別情報と第１の検索語とを読み出して再度検索を行った第１の検索結果を再度表示することが可能な電子辞書端末を提供することができる。
【発明を実施するための最良の形態】
【００１１】
以下、本発明の一実施形態について、図面を参照して説明する。
図１は、本実施形態による電子辞書端末１の構成を示すブロック図である。
本実施形態による電子辞書端末１は、入力部、出力部、制御部、演算部、記憶部を備えたコンピュータ機器であり、ＲＯＭ（Read Only Memory）１０と、検索語入力部２０と、辞書選択入力部３０と、表示部４０と、ＲＡＭ５０と、検索処理部６０とを備えている。
【００１２】
ＲＯＭ１０は、後述するＲＡＭ５０と比べて低速、大容量、安価な記憶装置であり、辞書情報記憶部１１と、プログラム記憶部１２と、検索情報記憶部１３とを備えている。プログラム記憶部１２には、電子辞書端末１を動作させるための制御プログラムが記憶されている。辞書情報記憶部１１は、複数の見出し語とその見出し語に対応する説明情報とをそれぞれに含む複数種類の辞書情報を記憶する。複数種類の辞書情報とは、例えば、国語辞典、漢字字典、和英辞典、英和辞典、英英辞典、類語辞典などの複数種類の辞書情報である。このような複数種類のそれぞれの辞書情報は、辞書識別情報によって他の辞書情報と識別され、複数の見出し語と、その見出し語に対応する訳語や、その見出し語に関する成句、例文、類語、解説などの説明情報を記憶している。本実施形態では、辞書情報記憶部１１には、少なくとも、辞書識別情報「辞書Ａ」に示される国語辞典の辞書情報と、辞書識別情報「辞書Ｂ」に示される英英辞典の辞書情報と、辞書識別情報「辞書Ｃ」に示される類語辞典の辞書情報とが記憶されている。
検索情報記憶部１３は、後述する検索処理部６０によって検索処理が行われた辞書識別情報と検索語とを対応付けた検索情報を記憶する。また、検索情報記憶部１３は、これら辞書識別情報と検索語との検索情報に対応づけて、表示部４０に表示させる情報の文字サイズや画面サイズなどを含む画面情報を記憶する。
【００１３】
検索語入力部２０は、ユーザから入力される検索語（第１の検索語または第２の検索語）の入力を受け付ける。検索語入力部２０は、具体的には、電子辞書に備えられたキーボードやタッチパネルなどの入力部である。
辞書選択入力部３０は、辞書情報記憶部１１に記憶された複数種類の辞書情報のうち検索対象とする辞書情報を示す辞書識別情報（第１の辞書識別情報または第２の辞書識別情報）の入力を受け付ける。辞書選択入力部３０は、具体的には、電子辞書に備えられたキーボードやタッチパネルなどの入力部である。
【００１４】
表示部４０は、辞書情報記憶部１１に記憶された見出し語と説明情報とを表示するディスプレイを有しており、検索結果などの情報を表示する。本実施形態では、ディスプレイに表示させる情報の文字サイズや画面サイズなどを変更可能であり、また画面内に表示する情報が一画面に表示しきれない場合は、画面をスクロールさせて、表示する情報の表示開始位置を変更することが可能である。表示部４０は、このような文字サイズ、画面サイズ、ディスプレイに表示している複数行の検索結果情報のうちスクロールされて画面の最上位に表示された行数を示す表示開始位置などの画面情報に応じて、検索結果情報をディスプレイに表示させる。
【００１５】
ＲＡＭ５０は、上述のＲＯＭ１０と比べて高速、小容量、高価な記憶装置であり、一時記憶手段５１を備えている。一時記憶手段５１には、後述する検索処理部６０が検索処理を行うために必要な情報が一時的に記憶される。
検索処理部６０は、検索語入力部２０に入力される検索語と、辞書選択入力部３０に入力される辞書識別情報とに対応する説明情報をＲＯＭ１０の辞書情報記憶部１１から読み出して、検索結果として表示部４０に表示させる。
【００１６】
次に、電子辞書端末１の外観を説明する。図２は、本実施形態による電子辞書端末１の外観を示す図である。電子辞書端末１は、電源入力ボタン２１、十字ボタン２２、モード切替ボタン２３、ディスプレイ２４、検索実行ボタン２５、画面切替ボタン２６、マルチ画面ボタン２７、辞書選択ボタン２８、文字入力ボタン２９、文字サイズボタン３１を備えている。
【００１７】
電源入力ボタン２１は、電子辞書端末１の電源の入／切の切替え入力を受け付けるボタンである。十字ボタン２２は、上下左右の方向の入力を受け付けるボタンであり、例えば、ディスプレイ２４に表示される入力カーソルの移動方向の入力や、画面のスクロール要求の入力を受け付ける。十字ボタン２２に画面のスクロール要求が入力されると、表示部４０は、入力されたスクロール要求に応じてディスプレイ２４に表示される情報の表示開始位置を上下、左右に移動させた画面を表示させる。
【００１８】
モード切替ボタン２３は、モード切替えの入力を受け付けるボタンである。例えば、電子辞書端末１は、モード切替ボタン２３が押下される毎にノーマルモードとマルチタスクモードとのモードを切替えた辞書機能を提供する。ノーマルモードでは、従来と同じように動作し、検索情報記憶部１３への検索結果の履歴記憶を行わない。電子辞書端末１がノーマルモードで動作するとき、辞書選択ボタン２８が押下されると、電子辞書端末１は、見出し語の検索語の入力を受け付ける辞書の初期画面を表示部４０に表示させる。一方、マルチタスクモードでは、検索結果の履歴を含むユーザから入力される情報を、検索情報記憶部１３に記憶させる。また、マルチタスクモードの状態では、画面下部に辞書の識別情報一覧を表示させ、モード切替ボタン２３を押下すると、表示部４０に表示させる辞書を切り替え、その辞書に対応する最新の検索結果を画面に表示させる。
【００１９】
ディスプレイ２４は、ユーザから入力される情報に基づいて情報を表示して出力する液晶ディスプレイである。文字入力ボタン２９は、Ａ〜Ｚまでの全てのアルファベットに対応する文字入力を受け付けるボタンであり、検索語などの単語の入力を受け付ける。文字入力ボタン２９は、ローマ字入力などにより日本語の入力を受け付けることができ、上述の検索語入力部２０は、文字入力ボタン２９の押下に対応する検索語の入力を受け付ける。文字サイズボタン３１は、ディスプレイ２４に表示される文字情報のサイズの切替え入力を受け付ける。文字サイズボタン３１が押下される毎に、表示部４０が、ディスプレイ２４に表示させる情報の文字サイズを、例えば大、中、小の順に切替える。
【００２０】
辞書選択ボタン２８は、辞書情報記憶部１１に記憶された複数種類の辞書情報のうち、いずれの辞書情報を検索対象とするかの選択入力を受け付ける。辞書選択ボタン２８は、図２に示すようにひとつのボタンを設置し、押下される度に異なる辞書情報を示す辞書識別情報が定められた順番で入力されるようにしても良いし、複数種類の辞書情報のそれぞれに対応したボタンを設置するようにして、押下されるボタンによって対応する辞書識別情報が入力されるようにしても良い。上述の辞書選択入力部３０は、辞書選択ボタン２８の押下に対応する辞書識別情報の入力を受け付ける。
【００２１】
検索実行ボタン２５は、辞書選択ボタン２８によって選択された辞書識別情報と、文字入力ボタン２９によって入力された検索語とに対応する説明情報の検索実行命令の入力を受け付ける。マルチ画面ボタン２７は、辞書情報記憶部１１に記憶された複数の辞書情報毎に画面を切替えるマルチ画面に切替える命令の入力を受け付ける。画面切替ボタン２６は、マルチ画面表示時に、アクティブな画面の切替え入力を受け付けるボタンである。
【００２２】
次に、本発明による電子辞書端末１が、ユーザからの入力に応じて辞書情報を出力する動作例を説明する。図３は、電子辞書端末１の動作例を示すフローチャートである。
電子辞書端末１は、予め電源入力ボタン２１が押下され、電源が入った状態であり、また、検索情報記憶部１３には、利用履歴の検索情報として、辞書識別情報「辞書Ａ」に対応する検索語「電子辞書」の検索情報と、辞書識別情報「辞書Ｂ」に対応する検索語「ｄｉｓｐｌａｙ」の検索情報と、辞書識別情報「辞書Ｃ」に対応する検索語「電子辞書」の検索情報とが記憶されていることとする。
【００２３】
ユーザに辞書選択ボタン２８が押下されると、辞書選択入力部３０が、辞書識別情報の入力を受け付ける（ステップＳ３１）。ここで、辞書選択入力部３０には、辞書選択ボタン２８が押下される度に異なる辞書識別情報（辞書Ａ、辞書Ｂ、・・・辞書ｎ（ｎは辞書情報記憶部１１が記憶する複数の辞書情報の種類数に対応））が入力され、当該辞書識別情報に対応する検索結果の読み出し要求が入力される。ここでは、辞書識別情報「辞書Ａ」が入力される（ステップＳ３２）。
【００２４】
検索処理部６０は、ステップＳ３２で入力された辞書識別情報「辞書Ａ」に対応する検索語と、この検索語に対応する画面情報を、検索情報記憶部１３から読み出す。ここでは、検索処理部６０は、辞書識別情報「辞書Ａ」に対応する検索語「電子辞書」の検索情報を検索情報記憶部１３から読み出す。そして、検索処理部６０は、辞書識別情報「辞書Ａ」が示す辞書情報記憶部１１に記憶された辞書情報から、検索語「電子辞書」の説明情報を読み出し、図４の（ａ）に示すような検索結果を、読み出した画面情報に応じて表示部４０に表示させる（ステップＳ３３）。
【００２５】
ここで、ユーザからの検索語の入力がなく（ステップＳ３４−ＮＯ）、辞書選択ボタン２８が押下されて辞書選択入力部３０に辞書識別情報「辞書Ｂ」が入力されると、検索処理部６０は、辞書識別情報「辞書Ｂ」に対応する検索語「ｄｉｓｐｌａｙ」の検索情報と画面情報とを検索情報記憶部１３から読み出す。そして、検索処理部６０は、辞書識別情報「辞書Ｂ」が示す辞書情報記憶部１１に記憶された辞書情報から、検索語「ｄｉｓｐｌａｙ」の説明情報を読み出し、図４の（ｂ）に示すような検索結果を、読み出した画面情報に応じて表示部４０に表示させる。
【００２６】
さらにユーザからの検索語の入力がなければ、再びステップＳ３４−ＮＯに進み、辞書選択ボタン２８が押下されて辞書選択入力部３０に辞書識別情報「辞書Ｃ」が入力され、検索処理部６０は、辞書識別情報「辞書Ｃ」に対応する検索語「電子辞書」の検索情報と画面情報とを検索情報記憶部１３から読み出す。そして、検索処理部６０は、辞書識別情報「辞書Ｃ」が示す辞書情報記憶部１１に記憶された辞書情報から、検索語「電子辞書」の類語等の説明情報を読み出し、図４の（ｃ）に示すような検索結果を、読み出した画面情報に応じて表示部４０に表示させる。
【００２７】
さらにユーザからの検索語の入力がなければ、ステップＳ３４−ＮＯに進み、辞書選択ボタン２８が押下されて辞書選択入力部３０に辞書識別情報「辞書Ａ」が入力され、検索処理部６０は、辞書識別情報「辞書Ａ」に対応する検索語「電子辞書」の検索情報と画面情報とを検索情報記憶部１３から読み出す。そして、検索処理部６０が、辞書識別情報「辞書Ａ」が示す辞書情報記憶部１１に記憶された辞書情報から、検索語「電子辞書」の説明情報を読み出し、図５の（ａ）に示すような検索結果を、読み出した画面情報に応じて表示部４０に表示させる。
【００２８】
ここで、文字入力ボタン２９が押下されると、電子辞書端末１は、図５の（ｂ）に示すような、見出し語の検索語の入力を受け付ける画面を表示部４０に表示する。そしてユーザに検索語が入力され（ステップＳ３４−ＹＥＳ）、検索実行ボタン２５が押下されると、検索処理部６０は、ステップＳ３２で選択された辞書識別情報が示す辞書情報記憶部１１に記憶された辞書情報から、ステップＳ３４で入力された検索語に対応する見出し語を検索する（ステップＳ３５）。検索処理部６０は、ステップＳ３５で検索した見出し語と、その見出し語に対応する説明情報を辞書情報記憶部１１から読み出し、検索結果として表示部４０に表示させる（ステップＳ３６）。そして、検索処理部６０は、ステップＳ３５で検索対象とした辞書識別情報と検索語とを対応付けて、検索情報記憶部１３に記憶させる（ステップＳ３７）。ここで、検索処理部６０は、ステップＳ３６で表示部４０に検索結果を表示させた時点での、検索結果画面の文字サイズ、画面サイズ、表示開始位置などの画面情報を、検索情報記憶部１３に記憶させる。
【００２９】
そして、文字サイズボタン３１が押下されると、表示部４０は、ディスプレイ２４に表示させる情報の文字サイズを変更し（ステップＳ３８）、変更した画面情報を検索情報記憶部１３に表示させる（ステップＳ３９）。また、十字ボタン２２が押下され、画面のスクロール要求が入力されると、表示部４０は、ディスプレイ２４に表示させる情報の表示開始位置を移動させ（ステップＳ４０）、変更した画面情報を検索情報記憶部１３に記憶させる（ステップＳ４１）。
そして、ユーザが辞書選択ボタン２８を押下し（ステップＳ４２−ＹＥＳ）、辞書選択入力部３０が辞書識別情報の入力を受け付けると、検索処理部６０は、選択された辞書識別情報に対応する検索結果を表示部４０に表示させる。一方、ユーザが辞書選択ボタン２８を押下しなければ（ステップＳ４２−ＮＯ）、電子辞書端末１は、処理を終了する。
【００３０】
図６は、マルチ画面ボタン２７が押下された場合の画面構成例を示す図である。図６の（ａ）に示すように、表示部４０に表示される画面の下部に辞書Ａ〜辞書Ｆ（ｎ）までの辞書識別情報を表示させ、そのときに画面に表示されているアクティブな辞書情報に対応する辞書識別情報以外の辞書識別情報に網掛けを行って表示する。そして、画面切り替えボタン２６が押下される毎に、「辞書Ｂ」をアクティブにした画面を表示し（ｂ）、「辞書Ｃ」をアクティブにした画面を表示する（ｃ）、というように画面に表示する辞書情報を切替えるようにしても良い。
【００３１】
また、本実施形態では、辞書識別情報と検索語とを検索情報記憶部に記憶させておき、辞書選択ボタンが押下されると検索結果の読み出し要求が入力されることとしたが、電子辞書端末１に備えられる全てのボタンの押下履歴を記憶しておき、ユーザから入力される履歴読み出し要求に応じて、記憶された押下履歴と同様のボタンが押下されたと同様の処理を実行するようにして、検索語の入力途中の画面や、検索結果画面その他の画面を表示させるようにしても良い。
【００３２】
なお、本発明における処理部の機能を実現するためのプログラムをコンピュータ読み取り可能な記録媒体に記録して、この記録媒体に記録されたプログラムをコンピュータシステムに読み込ませ、実行することにより電子辞書の制御を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３４】
【図１】本発明の一実施形態による電子辞書端末の構成を示すブロック図である。
【図２】本発明の一実施形態による電子辞書端末の外観を示す図である。
【図３】本発明の一実施形態による電子辞書端末の動作例を示すフローチャートである。
【図４】本発明の一実施形態による電子辞書端末の画面例を示す図である。
【図５】本発明の一実施形態による電子辞書端末の画面例を示す図である。
【図６】本発明の一実施形態による電子辞書端末の画面例を示す図である。
【符号の説明】
【００３５】
１  電子辞書端末
１０  ＲＯＭ
１１  辞書情報記憶部
１２  プログラム記憶部
１３  検索情報記憶部
２０  検索語入力部
２１  電源入力ボタン
２２  十字ボタン
２３  モード切替ボタン
２４  ディスプレイ
２５  検索実行ボタン
２６  画面切り替えボタン
２７  マルチ画面ボタン
２８  辞書選択ボタン
２９  文字入力ボタン
３０  辞書選択入力部
３１  文字サイズボタン
４０  表示部
５０  ＲＡＭ
５１  一時記憶手段
６０  検索処理部
【図１】
2009187178.tif 000003
【図２】
2009187178.tif 000004
【図３】
2009187178.tif 000005
【図４】
2009187178.tif 000006
【図５】
2009187178.tif 000007
【図６】
2009187178.tif 000008